(57)【特許請求の範囲】
【請求項１】
撮像した静止画像及び／或いは動画像を記録媒体に記録及び再生表示する画像処理装置であって、
撮像手段と、着脱可能な記録手段と、表示手段と、制御手段とを備え、
前記制御手段は、前記記録媒体へ記録される撮影画像データの圧縮方式の違いにより、記録される予定の撮影画像データを処理して前記表示手段に表示するか、もしくは記録される撮影画像データとは別に表示画像データを作成して前記表示手段に表示するかを判断し処理することを特徴とする画像処理装置。
【請求項２】
前記画像データの圧縮方式の違いとは、ＪＰＥＧとＲＡＷの違いであることを特徴とする請求項１に記載の画像処理装置。
【請求項３】
撮像した静止画像及び／或いは動画像を記録媒体に記録及び再生表示する画像処理装置の制御方法であって、
着脱可能な記録媒体へ記録される撮影画像データの圧縮方式を選択するステップと、
選択された圧縮方式の違いにより、記録される予定の撮影画像データを処理して表示手段に表示するか、もしくは記録される撮影画像データとは別に表示画像データを作成して表示手段に表示するかを判断し処理するステップとを備えたことを特徴とする画像処理装置の制御方法。
【請求項４】
前記圧縮方式を選択するステップは、ＪＰＥＧかＲＡＷのいずれかを選択するステップであることを特徴とする請求項３に記載の画像処理装置の制御方法。
【請求項５】
請求項３または４に記載の画像処理装置の制御方法を実現するためのプログラムを格納したことを特徴とする記憶媒体。
【発明の詳細な説明】
【０００１】
【発明の属する技術分野】
本発明は、静止画像や動画像を撮像，記録，再生する画像処理装置、画像処理装置の制御方法、記憶媒体に関するものである。
【０００２】
【従来の技術】
従来、固体メモリ素子を有するメモリカードを記録媒体として、静止画像や動画像を記録再生する電子カメラ等の画像処理装置は既に市販されており、カラー液晶パネル等の電子ファインダを備える電子カメラも販売されている。
【０００３】
これらの電子カメラによれば、撮影前の画像を連続して表示して電子カメラの使用者が構図を決定することや、撮影した画像を再生表示して確認することが可能である。
【０００４】
特に、撮影した画像を撮影直後に再生する機能は利便性が高く、電子カメラの使用者にとって有益な機能となっている。
【０００５】
【発明が解決しようとする課題】
このような従来の電子カメラ等の画像処理装置においては、撮影した画像を直後に再生表示し易くするために、撮影した画像データを画像表示部での画像再生に適した画像信号形態に変換した後に記録媒体へ書き込んでいた。
【０００６】
このため、ＣＣＤ等の撮像手段の画素構成によらず、画像表示部の信号入力に応じた、例えば、輝度Ｙ信号，色差Ｒ−Ｙ信号，色差Ｂ−Ｙ信号の組み合わせや、ＲＧＢ信号の組み合わせ等が用いられており、画質に優れた特色ある画素構成の撮像手段を用いた電子カメラであっても、撮影した画像を直後に再生表示する機能を備えた場合は、その画質を生かした画像信号形態での記録が行われていなかった。
【０００７】
一方、ＣＣＤ等の撮像手段の画素構成に応じた画像信号形態で、撮影した画像データを記録媒体に書き込む方式の電子カメラの場合、記録画質は撮像手段の能力を十分確保するものであったが、画像表示部での画像再生に適した画像信号形態では無いため、撮影した画像をそのまま再生表示することは出来なかった。
【０００８】
本発明は、このような状況のもとでなされたもので、撮影画像データの圧縮方式により表示手段への表示を変更する画像処理装置，画像処理装置の制御方法，記憶媒体を提供することを目的とするものである。
【０００９】
【課題を解決するための手段】
前記目的を達成するため、本発明では、画像処理装置を次の（１），（２）のとおりに、画像処理装置の制御方法を次の（３），（４）のとおりに、そして記憶媒体を次の（５）のとおりに構成する。
【００１０】
（１）撮像した静止画像及び／或いは動画像を記録媒体に記録及び再生表示する画像処理装置であって、撮像手段と、着脱可能な記録手段と、表示手段と、制御手段とを備え、前記制御手段は、前記記録媒体へ記録される撮影画像データの圧縮方式の違いにより、記録される予定の撮影画像データを処理して前記表示手段に表示するか、もしくは記録される撮影画像データとは別に表示画像データを作成して前記表示手段に表示するかを判断し処理する画像処理装置。
【００１１】
（２）前記（１）の前記画像データの圧縮方式の違いとは、ＪＰＥＧとＲＡＷの違いである画像処理装置。
【００１３】
（３）撮像した静止画像及び／或いは動画像を記録媒体に記録及び再生表示する画像処理装置の制御方法であって、着脱可能な記録媒体へ記録される撮影画像データの圧縮方式を選択するステップと、選択された圧縮方式の違いにより、記録される予定の撮影画像データを処理して表示手段に表示するか、もしくは記録される撮影画像データとは別に表示画像データを作成して表示手段に表示するかを判断し処理するステップとを備えた画像処理装置の制御方法。
【００１４】
（４）前記（３）の前記圧縮方式を選択するステップは、ＪＰＥＧかＲＡＷのいずれかを選択するステップである画像処理装置の制御方法。
【００１６】
（５）前記（３）または（４）に記載の画像処理装置の制御方法を実現するためのプログラムを格納した記憶媒体。
【００１７】
【発明の実施の形態】
以下本発明の実施の形態を画像処理装置の実施例により詳しく説明する。なお本発明は、画像処理装置に限らず、画像処理装置の制御方法の形で、更にこの画像処理装置の制御方法を実現するための、プログラムを格納したＣＤ−ＲＯＭ等の記憶媒体の形で同様に実施することができる。
【００１８】
【実施例】
図１は、実施例である“画像処理装置”の構成を示すブロック図である。図１において、１００は画像処理装置である。１０は撮影レンズ、１２は絞り機能を備えるシャッタ、１４は光学像を電気信号に変換する撮像素子、１６は撮像素子１４のアナログ信号出力をディジタル信号に変換するＡ／Ｄ変換器である。
【００１９】
１８は撮像素子１４，Ａ／Ｄ変換器１６，Ｄ／Ａ変換器２６にクロック信号や制御信号を供給するタイミング発生回路であり、メモリ制御回路２２及びシステム制御回路５０により制御される。
【００２０】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０，測距制御手段４２に対して制御を行う、ＴＴＬ（スルー・ザ・レンズ）方式のＡＦ（オートフォーカス）処理，ＡＥ（自動露出）処理，ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００２１】
２２はメモリ制御回路であり、Ａ／Ｄ変換器１６，タイミング発生回路１８，画像処理回路２０，画像表示メモリ２４，Ｄ／Ａ変換器２６，メモリ３０，圧縮・伸長回路３２を制御する。
【００２２】
Ａ／Ｄ変換器１６のデータが画像処理回路２０，メモリ制御回路２２を介して、或いはＡ／Ｄ変換器１６のデータが直接メモリ制御回路２２を介して、画像表示メモリ２４或いはメモリ３０に書き込まれる。
【００２３】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２４】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００２５】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２６】
４０は絞り機能を備えるシャッタ１２を制御する露光制御手段であり、フラッシュ４８と連携することによりフラッシュ調光機能も有するものである。
【００２７】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２８】
４８はフラッシュであり、ＡＦ補助光の投光機能、フラッシュ調光機能も有する。
【００２９】
露光制御手段４０、測距制御手段４２はＴＴＬ方式を用いて制御されており、撮像した画像データを画像処理回路２０によって演算した演算結果に基づき、システム制御回路５０が露光制御手段４０，測距制御手段４２に対して制御を行う。
【００３０】
５０は画像処理装置１００全体を制御するシステム制御回路、５２はシステム制御回路５０の動作用の定数、変数、プログラム等を記憶するメモリである。
【００３１】
５４はシステム制御回路５０でのプログラムの実行に応じて、文字，画像，音声等を用いて動作状態やメッセージ等を表示する液晶表示装置，スピーカ等の表示部であり、画像処理装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダ１０４内に設置されている。
【００３２】
表示部５４の表示内容のうち、ＬＣＤ等に表示するものとしては、例えば、シングルショット／連写撮影表示，セルフタイマ表示，圧縮率表示，記録画素数表示，記録枚数表示，残撮影可能枚数表示，シャッタスピード表示，絞り値表示，露出補正表示，フラッシュ表示，赤目緩和表示，マクロ撮影表示，ブザー設定表示，時計用電池残量表示，電池残量表示，エラー表示，複数桁の数字による情報表示，記録媒体２００及び２１０の着脱状態表示，通信Ｉ／Ｆ動作表示，日付け・時刻表示，外部コンピュータとの接続状態を示す表示等がある。
【００３３】
また、表示部５４の表示内容のうち、光学ファインダ１０４内に表示するものとしては、例えば、合焦表示，撮影準備完了表示，手振れ警告表示，フラッシュ充電表示，フラッシュ充電完了表示，シャッタスピード表示，絞り値表示，露出補正表示，記録媒体書き込み動作表示等がある。
【００３４】
さらに、表示部５４の表示内容のうち、ＬＥＤ等に表示するものとしては、例えば、合焦表示，撮影準備完了表示，手振れ警告表示，フラッシュ充電表示，フラッシュ充電完了表示，記録媒体書き込み動作表示，マクロ撮影設定通知表示，二次電池充電状態表示等がある。
【００３５】
そして、表示部５４の表示内容のうち、ランプ等に表示するものとしては、例えば、セルフタイマ通知ランプ、等がある。このセルフタイマ通知ランプは、ＡＦ補助光と共用して用いても良い。
【００３６】
５６は電気的に消去・記録可能な不揮発性メモリであり、例えばＥＥＰＲＯＭ等が用いられる。
【００３７】
６０，６２，６４，６６，６８，７０及び７２は、システム制御回路５０の各種の動作指示を入力するための操作手段であり、スイッチやダイアル，タッチパネル，視線検知によるポインティング，音声認識装置等の単数或いは複数の組み合わせで構成される。
【００３８】
ここで、これらの操作手段の具体的な説明を行う。
【００３９】
６０はモードダイアルスイッチで、電源オフ，自動撮影モード，撮影モード，パノラマ撮影モード，再生モード，マルチ画面再生・消去モード，ＰＣ接続モード等の各機能モードを切り替え設定することが出来る。
【００４０】
６２はシャッタスイッチＳＷ１で、不図示のシャッタボタンの操作途中（半押し）でＯＮとなり、ＡＦ（オートフォーカス）処理，ＡＥ（自動露出）処理，ＡＷＢ（オートホワイトバランス）処理，ＥＦ（フラッシュプリ発光）処理等の動作開始を指示する。
【００４１】
６４はシャッタスイッチＳＷ２で、不図示のシャッタボタンの操作完了（全押し）でＯＮとなり、撮像素子１２から読み出した信号をＡ／Ｄ変換器１６，メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４２】
６６は画像表示ＯＮ／ＯＦＦスイッチで、画像表示部２８のＯＮ／ＯＦＦを設定することが出来る。この機能により、光学ファインダ１０４を用いて撮影を行う際に、ＴＦＴ  ＬＣＤ等から成る画像表示部２８への電流供給を遮断することにより、省電力を図ることが可能となる。
【００４３】
６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００４４】
７０は各種ボタンやタッチパネル等からなる操作部で、メニューボタン，セットボタン，マクロボタン，マルチ画面再生改ページボタン，フラッシュ設定ボタン，単写／連写／セルフタイマ切り替えボタン，メニュー移動＋（プラス）ボタン，メニュー移動−（マイナス）ボタン，再生画像移動＋（プラス）ボタン，再生画像移動−（マイナス）ボタン，撮影画質選択ボタン，露出補正ボタン，日付／時間設定ボタン等がある。
【００４５】
７２は圧縮モードスイッチで、ＪＰＥＧ圧縮の圧縮率を選択するため、或いは撮像素子１４の信号をそのままディジタル化して記録媒体に記録するＣＣＤＲＡＷモードを選択するためのスイッチである。
【００４６】
ＪＰＥＧ圧縮のモードは、例えばノーマルモードとファインモードが用意されている。
【００４７】
ＪＰＥＧ圧縮のモードに於いては、撮像素子１４から読み出されてＡ／Ｄ変換器１６，画像処理回路２０，メモリ制御回路２２を介して、メモリ３０に書き込まれた画像データを読み出し、圧縮・伸長回路３２により設定した圧縮率に圧縮を行った後、記録媒体２００或いは２１０に記録を行う。
【００４８】
ＣＣＤＲＡＷモードでは、撮像素子１４の色フィルタの画素配列に応じて、ライン毎にそのまま画像データを読み出して、Ａ／Ｄ変換器１６，メモリ制御回路２２を介して、メモリ３０に書き込まれた画像データを読み出し、記録媒体２００或いは２１０に記録を行う。
【００４９】
８０は電源制御手段で、電池検出回路，ＤＣ−ＤＣコンバータ，通電するブロックを切り替えるスイッチ回路等により構成されており、電池の装着の有無，電池の種類，電池残量の検出を行い、検出結果及びシステム制御回路５０の指示に基づいてＤＣ−ＤＣコンバータを制御し、必要な電圧を必要な期間、記録媒体を含む各部へ供給する。
【００５０】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプタ等からなる電源手段である。
【００５１】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５２】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００５３】
インタフェース及びコネクタとしては、ＰＣＭＣＩＡカードやＣＦ（コンパクトフラッシュ）カード等の規格に準拠したものを用いて構成して構わない。
【００５４】
さらに、インタフェース９０及び９４、そしてコネクタ９２及び９６をＰＣＭＣＩＡカードやＣＦ（コンパクトフラッシュ）カード等の規格に準拠したものを用いて構成した場合、ＬＡＮカードやモデムカード，ＵＳＢカード，ＩＥＥＥ１３９４カード，Ｐ１２８４カード，ＳＣＳＩカード，ＰＨＳ等の通信カード等の各種通信カードを接続することにより、他のコンピュータやプリンタ等の周辺機器との間で画像データや画像データに付属した管理情報を転送し合うことが出来る。
【００５５】
１０２は、画像処理装置１００のレンズ１０を含む撮像部を覆う事により、撮像部の汚れや破損を防止するバリアである保護手段である。
【００５６】
１０４は光学ファインダであり、画像表示部２８による電子ファインダ機能を使用すること無しに、光学ファインダのみを用いて撮影を行うことが可能である。また、光学ファインダ１０４内には、表示部５４の部の機能、例えば、合焦表示，手振れ警告表示，フラッシュ充電表示，シャッタスピード表示，絞り値表示，露出補正表示などが設置されている。
【００５７】
１１０は通信手段で、ＲＳ２３２ＣやＵＳＢ，ＩＥＥＥ１３９４，Ｐ１２８４，ＳＣＳＩ，モデム，ＬＡＮ，無線通信等の各種通信機能を有する。
【００５８】
１１２は通信手段１１０により画像処理装置１００を他の機器と接続するコネクタ或いは無線通信の場合はアンテナである。
【００５９】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００６０】
２１０はメモリカードやハードディスク等の記録媒体である。記録媒体２１０は、半導体メモリや磁気ディスク等から構成される記録部２１２，画像処理装置１００とのインタフェース２１４，画像処理装置１００と接続を行うコネクタ２１６を備えている。
【００６１】
図２，図３，図４，図５，図６，図７及び図８を参照して、本実施例の動作を説明する。
【００６２】
図２，図３及び図４は本実施例の画像処理装置１００の主ルーチンのフローチャートを示す。図２，図３及び図４を用いて、画像処理装置１００の動作を説明する。
【００６３】
電池交換等の電源投入により、システム制御回路５０はフラグや制御変数等を初期化し（Ｓ１０１）、画像表示部２８の画像表示をＯＦＦ状態に初期設定する（Ｓ１０２）。
【００６４】
システム制御回路５０は、モードダイアル６０の設定位置を判断し、モードダイアル６０が電源ＯＦＦに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０５）、Ｓ１０３に戻る。
【００６５】
モードダイアル６０が撮影モードに設定されていたならば（Ｓ１０３）、Ｓ１０６に進む。
【００６６】
モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【００６７】
システム制御回路５０は、電源制御手段８０により電池等により構成される電源８６の残容量や動作情況が画像処理装置１００の動作に問題があるか否かを判断し（Ｓ１０６）、問題があるならば表示部５４を用いて画像や音声により所定の警告表示を行った後に（Ｓ１０８）、Ｓ１０３に戻る。
【００６８】
電源８６に問題が無いならば（Ｓ１０６）、システム制御回路５０は記録媒体２００或いは２１０の動作状態が画像処理装置１００の動作、特に記録媒体に対する画像データの記録再生動作に問題があるか否かを判断し（Ｓ１０７）、問題があるならば表示部５４を用いて画像や音声により所定の警告表示を行った後に（Ｓ１０８）、Ｓ１０３に戻る。
【００６９】
記録媒体２００或いは２１０の動作状態に問題が無いならば（Ｓ１０７）、表示部５４を用いて画像や音声により画像処理装置１００の各種設定状態の表示を行う（Ｓ１０９）。なお、画像表示部２８の画像表示がＯＮであったならば、画像表示部２８も用いて画像や音声により画像処理装置１００の各種設定状態の表示を行う。
【００７０】
システム制御回路５０は、クイックレビューＯＮ／ＯＦＦスイッチ６８の設定状態を調べ（Ｓ１１０）、クイックレビューＯＮに設定されていたならばクイックレビューフラグを設定し、（Ｓ１１１）、クイックレビューＯＦＦに設定されていたならばクイックレビューフラグを解除する（Ｓ１１２）。
【００７１】
なお、クイックレビューフラグの状態は、システム制御回路５０の内部メモリ或いはメモリ５２に記憶する。
【００７２】
続いて、システム制御回路５０は、画像表示ＯＮ／ＯＦＦスイッチ６６の設定状態を調べ（Ｓ１１３）、画像表示ＯＮに設定されていたならば、画像表示フラグを設定すると共に（Ｓ１１４）、画像表示部２８の画像表示をＯＮ状態に設定し（Ｓ１１５）、さらに撮像した画像データを逐次表示するスルー表示状態に設定して（Ｓ１１６）、Ｓ１１９に進む。
【００７３】
スルー表示状態に於いては、撮像素子１２、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダ機能を実現している。
【００７４】
画像表示ＯＮ／ＯＦＦスイッチ６６が画像表示ＯＦＦに設定されていたならば（Ｓ１１３）、画像表示フラグを解除すると共に（Ｓ１１７）、画像表示部２８の画像表示をＯＦＦ状態に設定して（Ｓ１１８）、Ｓ１１９に進む。
【００７５】
画像表示ＯＦＦの場合は、画像表示部２８による電子ファインダ機能を使用せず、光学ファインダ１０４を用いて撮影を行う。この場合、電力消費量の大きい画像表示部２８やＤ／Ａ変換器２６等の消費電力を削減することが可能となる。
【００７６】
なお、画像表示フラグの状態は、システム制御回路５０の内部メモリ或いはメモリ５２に記憶する。
【００７７】
続いて、システム制御回路５０は、圧縮モードスイッチ７２の設定状態を調べ（Ｓ１１９）、画像圧縮モードがＣＣＤＲＡＷモードに設定されていたならば、ＣＣＤＲＡＷモードフラグを設定して（Ｓ１２０）、Ｓ１３１（図３参照）に進む。
【００７８】
ＣＣＤＲＡＷモードに於いては、撮像素子１４の色フィルタの画素配列に応じて、ライン毎にそのまま画像データを読み出して、Ａ／Ｄ変換器１６，メモリ制御回路２２を介して、メモリ３０に書き込まれた画像データを読み出し、記録媒体２００或いは２１０に記録を行う。
【００７９】
ＣＣＤＲＡＷモードは、撮像素子１４で捕らえた画像信号をそのまま記録媒体に記録することが出来るため、高画質な記録を行うことが可能であるが、記録する画像データ量が多くなる。
【００８０】
圧縮モードスイッチ７２がＪＰＥＧモードに設定されていたならば（Ｓ１１９）、ＪＰＥＧモードフラグを設定して（Ｓ１２１）、Ｓ１３１に進む。
【００８１】
ＪＰＥＧモードに於いては、撮像素子１４から読み出されてＡ／Ｄ変換器１６，画像処理回路２０，メモリ制御回路２２を介して、メモリ３０に書き込まれた画像データを読み出し、圧縮・伸長回路３２により設定した圧縮率に圧縮を行った後、記録媒体２００或いは２１０に記録を行う。
【００８２】
ＪＰＥＧモードは、撮像素子１４で捕らえた画像信号を圧縮して記録媒体に記録することが出来るため、記録する画像データ量を減らしてより多くの記録を行うことが可能であるが、画像圧縮に非可逆圧縮であるＪＰＥＧ方式を用いる場合は圧縮率に応じて画質が劣化する。
【００８３】
なお、圧縮モードフラグの状態は、システム制御回路５０の内部メモリ或いはメモリ５２に記憶する。
【００８４】
シャッタスイッチＳＷ１が押されていないならば（Ｓ１３１）（図３参照）、Ｓ１０３に戻る。
【００８５】
シャッタスイッチＳＷ１が押されたならば（Ｓ１３１）、システム制御回路５０はシステム制御回路５０の内部メモリ或いはメモリ５２に記憶される画像表示フラグの状態を判断し（Ｓ１３２）、画像表示フラグが設定されていたならば画像表示部２８の表示状態をフリーズ表示状態に設定して（Ｓ１３３）、Ｓ１３４に進む。
【００８６】
フリーズ表示状態に於いては、撮像素子１２，Ａ／Ｄ変換器１６，画像処理回路２０，メモリ制御回路２２を介した画像表示メモリ２４の画像データ書き換えを禁止し、最後に書き込まれた画像データを、メモリ制御回路２２，Ｄ／Ａ変換器２６を介して画像表示部２８により表示することにより、フリーズした映像を電子ファインダ２８に表示している。
【００８７】
画像表示フラグが解除されていたならば（Ｓ１３２）、Ｓ１３４に進む。
【００８８】
システム制御回路５０は、測距処理を行って撮影レンズ１０の焦点を被写体に合わせ、測光処理を行って絞り値及びシャッタ時間を決定する（Ｓ１３４）。測光処理に於いて、必要であればフラッシュの設定も行う。この測距・測光処理Ｓ１３４の詳細は図５を用いて後述する。
【００８９】
測距・測光処理Ｓ１３４を終えたならば、システム制御回路５０はシステム制御回路５０の内部メモリ或いはメモリ５２に記憶される画像表示フラグの状態を判断し（Ｓ１３５）、画像表示フラグが設定されていたならば画像表示部２８の表示状態をスルー表示状態に設定して（Ｓ１３６）、Ｓ１３７に進む。なお、Ｓ１３６でのスルー表示状態は、Ｓ１１６（図２参照）でのスルー状態と同じ動作状態である。
【００９０】
シャッタスイッチＳＷ２が押されずに（Ｓ１３７）、さらにシャッタスイッチＳＷ１も解除されたならば（Ｓ１４６）、Ｓ１０３に戻る。
【００９１】
シャッタスイッチＳＷ２が押されたならば（Ｓ１３７）、システム制御回路５０はシステム制御回路５０の内部メモリ或いはメモリ５２に記憶される画像表示フラグの状態を判断し（Ｓ１３８）、画像表示フラグが設定されていたならば画像表示部２８の表示状態を固定色表示状態に設定して（Ｓ１３９）、Ｓ１６１（図４参照）に進む。
【００９２】
固定色表示状態に於いては、撮像素子１２，Ａ／Ｄ変換器１６，画像処理回路２０，メモリ制御回路２２を介して画像表示メモリ２４に書き込まれた撮影画像データの代わりに、差し替えた固定色の画像データを、メモリ制御回路２２，Ｄ／Ａ変換器２６を介して画像表示部２８により表示することにより、固定色の映像を電子ファインダ２８に表示している。
【００９３】
画像表示フラグが解除されていたならば（Ｓ１３８）、Ｓ１６１に進む。
【００９４】
システム制御回路５０は、撮像素子１２，Ａ／Ｄ変換器１６，画像処理回路２０，メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１６１）。
【００９５】
この撮影処理Ｓ１６１の詳細は図６を用いて後述する。
【００９６】
撮影処理Ｓ１６１を終えたならば、システム制御回路５０はシステム制御回路５０の内部メモリ或いはメモリ５２に記憶される圧縮モードフラグの状態を判断する（Ｓ１６２）。
【００９７】
＜圧縮モードフラグがＪＰＥＧモードの場合＞
圧縮モードフラグの状態がＪＰＥＧモードの設定であったならば（Ｓ１６２）、撮影処理Ｓ１６１によってメモリ３０に書き込まれた画像データを読み出して、メモリ制御回路２２を介して画像表示メモリ２４に転送する表示画像処理を実行する（Ｓ１６３）。
【００９８】
この表示画像処理Ｓ１６３の詳細は図７を用いて後述する。
【００９９】
システム制御回路５０は、システム制御回路５０の内部メモリ或いはメモリ５２に記憶される画像表示フラグの状態を判断し（Ｓ１６４）、画像表示フラグが設定されていたならばクイックレビュー表示を行う（Ｓ１６５）。この場合は、撮影中も画像表示部２８が電子ファインダとして常に表示された状態であり、撮影直後のクイックレビュー表示も行われる。
【０１００】
画像表示フラグが解除されていたならば（Ｓ１６４）、システム制御回路５０の内部メモリ或いはメモリ５２に記憶されるクイックレビューフラグの状態を判断し（Ｓ１６５）、クイックレビューフラグが設定されていたならば、画像表示部２８の画像表示をＯＮ状態に設定し（Ｓ１６６）、クイックレビュー表示を行う（Ｓ１６７）。
【０１０１】
この場合は、省電力のために、或いは光学ファインダ１０４を用いて撮影を行うので電子ファインダ機能が不要であるために、画像表示部２８の画像表示をＯＦＦに設定していても、クイックレビュースイッチ６８によりクイックレビュー機能が設定されていれば、撮影を行った直後に自動的に撮影画像を画像表示部２８に再生することが可能となり、省電力かつ撮影画像の確認に便利な機能を提供することが可能となる。
【０１０２】
画像表示フラグが解除され（Ｓ１６４）、クイックレビューフラグも解除されていたならば（Ｓ１６５）、画像表示部２８がＯＦＦの状態のままＳ１６８に進む。この場合は、撮影を行った後でも画像表示部２８は消えたままであり、クイックレビュー表示も行われない。これは、光学ファインダ１０４を用いて撮影を続ける場合のように、撮影直後の撮影画像の確認が不要で、画像表示部２８の電子ファインダ機能を使用せずに省電力を重視する使用方法である。
【０１０３】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行う圧縮処理を行った後（Ｓ１６８）、インタフェース９０或いは９４、コネクタ９２或いは９６を介して、メモリカードやコンパクトフラッシュカード等の記録媒体２００或いは２１０へ画像データの書き込みを行う記録処理を実行する（Ｓ１６９）。
【０１０４】
この圧縮処理Ｓ１６８の詳細は図８を用いて後述する。
【０１０５】
なお、画像表示部２８がＯＮの場合は、記録媒体２００或いは２１０へ画像データの書き込みを行っている間、書き込み動作中であることを明示する例えば「ＢＵＳＹ」のような表示を画像表示部２８に対して行う。
【０１０６】
さらに、表示部５４において例えばＬＥＤを点滅させる等の記録媒体書き込み動作表示も併せて行う。
【０１０７】
記録処理を行った後（Ｓ１６９）、Ｓ１４０（図３参照）に進む。
【０１０８】
＜圧縮モードフラグがＣＣＤＲＡＷモードの場合＞
圧縮モードフラグの状態がＣＣＤＲＡＷモードの設定であったならば（Ｓ１６２）、システム制御回路５０は、システム制御回路５０の内部メモリ或いはメモリ５２に記憶される画像表示フラグの状態を判断し（Ｓ１７０）、画像表示フラグが設定されていたならば画像表示部２８の表示状態を固定色表示状態に設定して（Ｓ１７３）、Ｓ１７４に進む。
【０１０９】
この場合、画像表示部２８を固定色表示状態に設定することにより、システム制御回路５０は、後述する記録処理Ｓ１７５での記録進行状態を表す表示を画像表示部２８を用いて行うことが出来る。
【０１１０】
ＣＣＤＲＡＷモードでの記録処理は、撮像素子１４で捕らえた画像信号をそのまま記録媒体に記録することが出来るため、高画質な記録を行うことが可能であるが、記録する画像データ量が多くなる。このため、記録進行状態の表示を行うことは、使用者にとって便利な機能となる。
【０１１１】
画像表示フラグが解除されていたならば（Ｓ１７０）、システム制御回路５０の内部メモリ或いはメモリ５２に記憶されるクイックレビューフラグの状態を判断し（Ｓ１７１）、クイックレビューフラグが設定されていたならば、画像表示部２８の画像表示をＯＮ状態に設定し（Ｓ１７２）、画像表示部２８の表示状態を固定色表示状態に設定して（Ｓ１７３）、Ｓ１７４に進む。
【０１１２】
この場合も同様に、画像表示部２８を固定色表示状態に設定することにより、システム制御回路５０は、後述する記録処理Ｓ１７５での記録進行状態を表す表示を画像表示部２８を用いて行うことが出来る。
【０１１３】
画像表示フラグが解除され（Ｓ１７０）、クイックレビューフラグも解除されていたならば（Ｓ１７１）、画像表示部２８がＯＦＦの状態のままＳ１７５に進む。この場合、画像表示部２８での記録進行状態の表示を行わずに、後述する記録処理Ｓ１７５を行う。
【０１１４】
システム制御回路５０は、画像表示部２８に記録処理Ｓ１７５の記録進行状態を表示しながら（Ｓ１７４）、撮影処理Ｓ１６１において、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出して、インタフェース９０或いは９４、コネクタ９２或いは９６を介して、メモリカードやコンパクトフラッシュカード等の記録媒体２００或いは２１０に記録を行う（Ｓ１７５）。
【０１１５】
なお、画像表示部２８がＯＮの場合は、記録媒体２００或いは２１０へ画像データの書き込みを行っている間、書き込み動作中であることを明示する例えば「ＢＵＳＹ」のような表示を画像表示部２８に対して行う。
【０１１６】
さらに、表示部５４において例えばＬＥＤを点滅させる等の記録媒体書き込み動作表示も併せて行う。
【０１１７】
この記録処理Ｓ１７５を、画像表示部２８の画像表示がＯＮの場合は記録進行状態の表示を更新しながら（Ｓ１７４）、記録媒体２００或いは２１０への記録が終了するまで実行する（Ｓ１７６）。
【０１１８】
記録処理が終わったならば（Ｓ１７６）、システム制御回路５０は、システム制御回路５０の内部メモリ或いはメモリ５２に記憶される画像表示フラグの状態を判断し（Ｓ１７７）、画像表示フラグが設定されていたならば、Ｓ１７９に進む。
【０１１９】
画像表示フラグが解除されていたならば（Ｓ１７７）、システム制御回路５０の内部メモリ或いはメモリ５２に記憶されるクイックレビューフラグの状態を判断し（Ｓ１７８）、クイックレビューフラグが設定されていたならば、Ｓ１７９に進む。
【０１２０】
画像表示フラグが解除され（Ｓ１７７）、クイックレビューフラグも解除されていたならば（Ｓ１７８）、画像表示部２８がＯＦＦの状態のままＳ１４０（図３参照）に進む。
【０１２１】
システム制御回路５０は、画像表示部２８による記録進行状態の表示を終了した後（Ｓ１７９）、撮影処理Ｓ１６１において、撮像素子１４の色フィルタの画素配列に応じて、ライン毎にそのまま画像データを読み出して、Ａ／Ｄ変換器１６，メモリ制御回路２２を介して、メモリ３０に書き込まれた画像データを、読み出して画像処理回路２０を用いて各種処理を行い、メモリ制御回路２２を介して画像表示メモリ２４に転送する表示画像処理を実行し（Ｓ１８０），この表示画像処理により画像表示部２８によって撮影画像の再生が行える状態になったならば、クイックレビュー表示を行う（Ｓ１８１）。
【０１２２】
この表示画像処理Ｓ１８０の詳細は図７を用いて後述する。
【０１２３】
このように、本実施例によれば、ＣＣＤＲＡＷモードによる撮影・記録処理を行った直後に、表示画像処理を実行し、自動的に撮影画像を画像表示部２８に再生することが可能となると共に、画像データ記録中は記録動作の進行を表示することにより、撮影画像の確認及び確認関連作業に便利な機能を提供することが可能となる。
【０１２４】
また、省電力のために、或いは光学ファインダー１０４を用いて撮影を行うので電子ファインダー機能が不要であるために、画像表示部２８の画像表示をＯＦＦに設定していても、クイックレビュースイッチによりクイックレビュー機能が設定されていれば、撮影，記録を行った直後に自動的に撮影画像を画像表示部２８に再生することが可能となり、省電力かつ撮影画像の確認に便利な機能を提供することが可能となる。
【０１２５】
クイックレビュー表示を行った後（Ｓ１８１）、Ｓ１４０に進む。
【０１２６】
ＪＰＥＧモードでの一連の処理（Ｓ１６３〜Ｓ１６９）或いはＣＣＤＲＡＷモードでの一連の処理（Ｓ１７０〜Ｓ１８１）が終了した際に、シャッタスイッチＳＷ２が押された状態であったならば（Ｓ１４０）（図３参照）、システム制御回路５０はシステム制御回路５０の内部メモリ或いはメモリ５２に記憶される連写フラグの状態を判断し（Ｓ１４１）、連写フラグが設定されていたならば、連続して撮影を行うためにＳ１６１に戻り、次の撮影を行う。
【０１２７】
連写フラグが設定されていないならば（Ｓ１４１）、シャッタスイッチＳＷ２が放されるまで（Ｓ１４０）、現在の処理を繰り返す。
【０１２８】
このように、本実施例によれば、撮影直後にクイックレビュー表示を行う動作設定状態の場合に、記録処理Ｓ１６９，Ｓ１７５が終了した際にシャッタスイッチＳＷ２が押された状態であったならば、シャッタスイッチＳＷ２が放されるまで画像表示部２８におけるクイックレビュー表示を継続して撮影画像の確認を入念に行うことを可能とすることが出来る。
【０１２９】
ＪＰＥＧモードでの一連の処理（Ｓ１６３〜Ｓ１６９）或いはＣＣＤＲＡＷモードでの一連の処理（Ｓ１７０〜Ｓ１８１）が終了した際に、シャッタスイッチＳＷ２が放された状態であった、或いは、シャッタスイッチＳＷ２を押し続けてクイックレビュー表示を継続して撮影画像の確認を行った後にシャッタスイッチＳＷ２を放した状態であったならば（Ｓ１４０）、所定のミニマムレビュー時間が経過した後に（Ｓ１４２）、Ｓ１４３に進む。
【０１３０】
このように、本実施例によれば、画像表示部２８におけるクイックレビュー表示を所定の時間継続することにより、撮影画像の確認を確実に行うことを可能とすると共に、不必要に長時間クイックレビュー表示を継続して次の撮影チャンスを失うことを防止することが出来る。
【０１３１】
なお、このミニマムレビュー時間は、固定値としても、使用者が任意に設定することが可能としても、さらには所定の範囲内で使用者が任意に設定或いは選択することが可能としても、いずれの方法で設定しても構わない。
【０１３２】
システム制御回路５０は、画像表示フラグが設定されていたならば（Ｓ１４３）、画像表示部２８の表示状態をスルー表示状態に設定して（Ｓ１４４）、Ｓ１４６に進む。
【０１３３】
この場合、画像表示部２８でのクイックレビュー表示によって撮影画像を確認した後に、次の撮影のために撮像した画像データを逐次表示するスルー表示状態にすることが出来る。
【０１３４】
画像表示フラグが解除されていたならば（Ｓ１４３）、画像表示部２８の画像表示をＯＦＦ状態に設定して（Ｓ１４５）、Ｓ１４６に進む。
【０１３５】
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【０１３６】
シャッタスイッチＳＷ１が押された状態であったならば（Ｓ１４６）、システム制御回路５０は、Ｓ１３７に戻って次の撮影に備える。
【０１３７】
シャッタスイッチＳＷ１が放された状態であったならば（Ｓ１４６）、システム制御回路５０は、一連の撮影動作を終えてＳ１０３に戻る。
【０１３８】
図５は、図３のＳ１３４における測距・測光処理の詳細なフローチャートを示す。
【０１３９】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理，ＥＦ（フラッシュプリ発光）処理，ＡＦ（オートフォーカス）処理に用いる所定の演算を行っている。
【０１４０】
なお、ここでの各処理は、撮影した全画素数のうちの必要に応じた特定の部分を必要個所分切り取って抽出し、演算に用いている。これにより、ＴＴＬ方式のＡＥ，ＥＦ，ＡＷＢ，ＡＦの各処理において、中央重点モード，平均モード，評価モードの各モード等の異なるモード毎に最適な演算を行うことが可能となる。
【０１４１】
画像処理回路２０での演算結果を用いて、システム制御回路５０は露出（ＡＥ）が適正と判断されるまで（Ｓ２０２）、露光制御手段４０を用いてＡＥ制御を行う（Ｓ２０３）。
【０１４２】
ＡＥ制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【０１４３】
露出（ＡＥ）が適正と判断したならば（Ｓ２０２）、測定データ及び或いは設定パラメータをシステム制御回路５０の内部メモリ或いはメモリ５２に記憶する。
【０１４４】
画像処理回路２０での演算結果及びＡＥ制御で得られた測定データを用いて、システム制御回路５０はホワイトバランス（ＡＷＢ）が適正と判断されるまで（Ｓ２０６）、画像処理回路２０を用いて色処理のパラメータを調節してＡＷＢ制御を行う（Ｓ２０７）。
【０１４５】
ホワイトバランス（ＡＷＢ）が適正と判断したならば（Ｓ２０６）、測定データ及び或いは設定パラメータをシステム制御回路５０の内部メモリ或いはメモリ５２に記憶する。
【０１４６】
ＡＥ制御及びＡＷＢ制御で得られた測定データを用いて、システム制御回路５０は測距（ＡＦ）が合焦と判断されるまで（Ｓ２０８）、測距制御手段４２を用いてＡＦ制御を行う（Ｓ２０９）。
【０１４７】
測距（ＡＦ）が合焦と判断したならば（Ｓ２０８）、測定データ及び或いは設定パラメータをシステム制御回路５０の内部メモリ或いはメモリ５２に記憶し、測距・測光処理ルーチンＳ１３４を終了する。
【０１４８】
図６は、図４のＳ１６１における撮影処理の詳細なフローチャートを示す。システム制御回路５０は、システム制御回路５０の内部メモリ或いはメモリ５２に記憶される測光データに従い、露光制御手段４０によって、絞り機能を有するシャッタ１２を絞り値に応じて開放して撮像素子１０を露光する（Ｓ３０１，Ｓ３０２）。
【０１４９】
フラッシュ・フラグによりフラッシュ４８が必要か否かを判断し（Ｓ３０３）、必要な場合はフラッシュを発光させる（Ｓ３０４）。
【０１５０】
システム制御回路５０は、測光データに従って撮像素子１２の露光終了を待ち（Ｓ３０５）、シャッタ１２を閉じて（Ｓ３０６）、撮像素子１４から電荷信号を読み出し、Ａ／Ｄ変換器１６，画像処理回路２０，メモリ制御回路２２を介して、或いはＡ／Ｄ変換器１６から直接メモリ制御回路２２を介して、メモリ３０に撮影画像のデータを書き込む（Ｓ３０７）。一連の処理を終えたならば、撮影処理ルーチンＳ１６１を終了する。
【０１５１】
図７は、図４のＳ１６３或いはＳ１８０における表示画像処理の詳細なフローチャートを示す。
【０１５２】
システム制御回路５０は、設定された撮影モードに応じて、フレーム処理を行う必要があるならば（Ｓ４０１）、メモリ制御回路２２そして必要に応じて画像処理回路２０を用いて、メモリ３０に書き込まれた画像データを読み出して垂直加算処理（Ｓ４０２）や、色処理（Ｓ４０３）を順次行った後、メモリ３０に処理を終えた画像データを書き込む。
【０１５３】
システム制御回路５０は、メモリ３０から画像データを読み出し、メモリ制御回路２２を介して画像表示メモリ２４に表示画像データの転送を行う（Ｓ４０４）。
【０１５４】
一連の処理を終えたならば、表示画像処理ルーチンＳ１６３或いはＳ１８０を終了する。
【０１５５】
図８は、図４のＳ１６８における圧縮処理の詳細なフローチャートを示す。
【０１５６】
システム制御回路５０は、メモリ制御回路２２そして必要に応じて画像処理回路２０を用いて、メモリ３０に書き込まれた撮影画像データを読み出して撮像素子１４の縦横画素比率を１：１に補間する画素正方化処理を行った後（Ｓ５０１）、メモリ３０に処理を終えた画像データを書き込む。
【０１５７】
そして、メモリ３０に書き込まれた画像データを読み出して、設定したモードに応じた画像圧縮処理を圧縮・伸長回路３２により行う（Ｓ５０２）。
【０１５８】
画像圧縮処理が終わったならば、圧縮処理ルーチンＳ１６８を終了する。
【０１５９】
以上、図１を用いて本実施例の説明を行った。
【０１６０】
なお、実施例の説明に於いては、圧縮モードの種類をＪＰＥＧモードとＣＣＤＲＡＷモードとして説明したが、画像表示部２８での入力表示信号形態に対応した画像モードと撮像素子１４での出力信号形態に対応した画像モードの組み合わせであれば、他の組み合わせでも構わない。
【０１６１】
この場合も、画像表示部２８での入力表示信号形態に対応した画像モードを選択した場合は、撮影直後の撮影画像再生確認を速やかに行いながら記録を行うことが出来る。一方、撮像素子１４での出力信号形態に対応した画像モードを選択した場合は、撮像素子１４の画像情報を生かした記録を行うと共に撮影画像再生確認も行うことが出来る。使用者は撮影現場での状況及び撮影用途に応じて、前述のいずれかの画像モードを随時選択して撮影を行うことが出来る。
【０１６２】
そして、画像表示部２８をＯＦＦする場合に、画像表示部２８を構成する全ての要素をＯＦＦするとして説明したが、画像表示部２８の要素の一部をＯＦＦするだけでも勿論問題ない。この場合でも、撮影画像の確認と省電力を共に行う機能を備えることが出来る。例えば、画像表示部２８がＬＣＤとバックライトから構成されている場合、ＬＣＤがＯＮのままバックライトのみをＯＦＦしても、実施例での説明同様、撮影画像の確認と省電力を共に行う機能を備えることが出来る。
【０１６３】
また、画像表示ＯＮ／ＯＦＦスイッチ６６とクイックレビューＯＮ／ＯＦＦスイッチ６８は、それぞれ独立した構成として説明したが、画像表示ＯＮ／ＯＦＦスイッチ６６とクイックレビューＯＮ／ＯＦＦスイッチ６８を一つの兼用スイッチとしてまとめ、画像表示ＯＮ／クイックレビューのみ画像表示ＯＮ／画像表示ＯＦＦの３ポジションを備える構成としても勿論問題ない。
【０１６４】
そして、画像表示部２８によるクイックレビュー表示を終える指示を行った際に、最低時間クイックレビュー表示を継続するミニマムレビュー時間の経過を判断するとして説明したが、ミニマムレビュー時間を設定しない構成としても勿論問題無い。この場合、図３に於いて、Ｓ１４２でのミニマムレビュー時間の経過を判断する処理を除去したフローチャートとすれば良い。
【０１６５】
また、スルー表示とクイックレビュー表示を行うそれぞれ専用の画像表示部を備える構成として、それらの表示部のＯＮ／ＯＦＦを画像表示ＯＮ／ＯＦＦスイッチ及びクイックレビューＯＮ／ＯＦＦスイッチの設定に応じて行う構成としても構わない。この場合も、実施例の説明と同様に、撮影画像の確認と省電力を共に行う機能を備えることが出来る。
【０１６６】
そして、画像表示ＯＮ／ＯＦＦスイッチがＯＮの場合はクイックレビューＯＮ／ＯＦＦスイッチの設定に関わらず撮影直後のクイックレビュー表示を行うものとして説明を行ったが、画像表示ＯＮ／ＯＦＦスイッチがＯＮの場合にクイックレビューＯＮ／ＯＦＦスイッチの設定に応じてクイックレビュー表示を行うか否かを決定するようにしても構わない。
【０１６７】
なお、記録媒体２００及び２１０は、ＰＣＭＣＩＡカードやコンパクトフラッシュ等のメモリカード、ハードディスク等だけでなく、マイクロＤＡＴ，光磁気ディスク，ＣＤ−ＲやＣＤ−ＷＲ等の光ディスク、ＤＶＤ等の相変化型光ディスク等で構成されていても勿論問題無い。
【０１６８】
また、記録媒体２００及び２１０がメモリカードとハードディスク等が一体となった複合媒体であっても勿論問題無い。さらに、その複合媒体から一部が着脱可能な構成としても勿論問題無い。
【０１６９】
そして、実施例の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【０１７０】
また、画像処理装置１００に記録媒体２００或いは２１０が、単数或いは複数の任意の個数接続可能な構成であっても構わない。
【０１７１】
そして、画像処理装置１００に記録媒体２００及び２１０が装着する構成として説明したが、記録媒体は単数或いは複数の何れの組み合わせの構成であっても、勿論問題無い。
【０１７２】
【発明の効果】
以上説明したように、本発明によれば、撮影画像データの圧縮方式により表示手段への表示を変更することができる。
【図面の簡単な説明】
【図１】実施例の構成を示すブロック図
【図２】主ルーチンを示すフローチャート
【図３】主ルーチンを示すフローチャート
【図４】主ルーチンを示すフローチャート
【図５】測距・測光処理の詳細を示すフローチャート
【図６】撮影処理の詳細を示すフローチャート
【図７】表示画像処理の詳細を示すフローチャート
【図８】圧縮処理の詳細を示すフローチャート
【符号の説明】
１４  撮像素子
２８  画像表示部
５０  システム制御回路
２００  記録媒体
【図１】
0003625371.tif 000002
【図２】
0003625371.tif 000003
【図３】
0003625371.tif 000004
【図４】
0003625371.tif 000005
【図５】
0003625371.tif 000006
【図６】
0003625371.tif 000007
【図７】
0003625371.tif 000008
【図８】
0003625371.tif 000009